(57)【要約】【課題】  タッチパネルへの入力操作に対してフィードバックを行う携帯端末において、コストの上昇を抑えつつ、ユーザに対してより判り易く且つ確実なフィードバックを行えるようにする。【解決手段】  タッチパネル部１１の下面側には、複数のＬＥＤ１４が配された発光部１２と、パネル駆動部１３が設けられている。そして、タッチパネル部１１へのタッチ操作があった場合、そのタッチ位置（押圧位置）に略々対応した場所のＬＥＤ１４が発光制御され、さらに、必要に応じてパネル駆動部１３も振動制御される。また、タッチパネル部１１へのスクロール操作があった場合、そのスクロール操作の軌跡上に略々対応した各ＬＥＤ１４が発光制御され、さらに、必要に応じてパネル駆動部１３も振動制御される。【選択図】  図２
2007133698.tif 000002
【特許請求の範囲】
【請求項１】
パネルの表面に対する押圧操作により入力が行われるパネル入力部と、
複数の発光素子を備え、上記パネル入力部の上記パネルの下面側に配される発光部と、
上記パネル入力部を振動させるためのパネル駆動部と、
上記パネル入力部からの入力信号に基づいて上記発光部の発光制御と上記パネル駆動部の振動制御を行う制御部と、
を有することを特徴とする携帯端末。
【請求項２】
請求項１記載の携帯端末であって、
上記制御部は、上記発光部の上記複数の発光素子のうち、上記パネル入力部の押圧位置に略々対応した場所の発光素子を発光させる制御を行うことを特徴とする携帯端末。
【請求項３】
請求項２記載の携帯端末であって、
上記制御部は、上記パネル入力部の押圧力と押圧位置と押圧時間の少なくとも何れかに応じた発光パターンで上記発光素子を発光させる制御を行うことを特徴とする携帯端末。
【請求項４】
請求項１記載の携帯端末であって、
上記制御部は、上記発光部の上記複数の発光素子のうち、上記パネル入力部の押圧軌跡に略々対応した場所の各発光素子を順次発光させる制御を行うことを特徴とする携帯端末。
【請求項５】
請求項４記載の携帯端末であって、
上記制御部は、上記パネル入力部の押圧力に応じた発光パターンで上記各発光素子を順次発光させる制御を行うことを特徴とする携帯端末。
【請求項６】
請求項１記載の携帯端末であって、
上記制御部は、上記パネル入力部の押圧力と押圧位置と押圧時間と押圧軌跡の少なくとも何れかに応じて上記パネル駆動部を振動させる制御を行うことを特徴とする携帯端末。
【請求項７】
請求項６記載の携帯端末であって、
上記制御部は、上記パネル入力部の押圧力と押圧位置と押圧時間と押圧軌跡の少なくとも何れかに応じた振動パターンで上記パネル駆動部を振動させる制御を行うことを特徴とする携帯端末。
【請求項８】
請求項１記載の携帯端末であって、
上記発光部は、各々の発光素子から、それぞれ隣接する別の発光素子側へ向かう光を遮断する遮光仕切部材を備えることを特徴とする携帯端末。
【発明の詳細な説明】
【技術分野】
【０００１】
本発明は、携帯電話端末等のようにユーザにより操作可能となされた携帯端末に関する。
【背景技術】
【０００２】
従来より、携帯電話端末におけるユーザの指示入力方式としては、キーを用いた入力方式が主流となされている。
【０００３】
また、近年の携帯電話端末は、一般的な通話機能の他に、例えば、電子メールの作成や送受信機能、テレビジョン放送やラジオ放送の受信機能、スケジュール管理機能、カメラ機能、赤外線等を用いたデータ送受信機能、電子財布機能など多種多様の機能が搭載されており、それら多種多様な機能を実行させるための複雑な操作をユーザが入力するための方式として、いわゆるタッチパネルを用いた入力方式が開発されている。但し、当該タッチパネルを用いた入力方式の場合、タッチパネルへの入力操作が端末側にて認識されているのかを、ユーザ自身が確認し難いという問題点を有している。
【０００４】
一方、特開２００５−１４９４０５号の公開特許公報（特許文献１）には、タッチパネルと当該タッチパネルを振動させる駆動部とを備え、タッチパネルの表面への押圧を検出した時に、その押圧操作開始から確定までの時間を計測し、その時間の長さに応じて、時駆動部がタッチパネルを振動させる際の振動の大きさを変化させるような制御を行う入力装置が開示されている。この公報記載の入力装置によれば、操作者がタッチパネルを操作した時、その操作の仕方に応じた力覚（クリック感）を当該操作者へ帰還させることが可能となっている。すなわちこの公報記載の入力装置においては、上記押圧操作の時間に応じてタッチパネルを振動させることにより、装置側にて入力操作の認識がなされているかどうかを、操作者にフィードバックすることができる。
【０００５】
【特許文献１】特開２００５−１４９４０５号公報（図３）
【発明の開示】
【発明が解決しようとする課題】
【０００６】
上述したように、タッチパネルを用いた入力方式は、入力操作が端末側で認識されたかどうかをユーザが確認し難いという問題点を有しているが、上記特開２００５−１４９４０５号公報に記載の入力装置によれば、端末側にて入力操作の認識がなされたかどうかを、触覚的にユーザへフィードバックすることができる。
【０００７】
ところで、人間が外界から情報を得るための感覚には、視覚や聴覚、触覚など種々あるが、その中でも特に割合が大きいものは視覚であることが知られている。したがって、例えば上述したタッチパネルを用いた入力方式において、タッチパネルへの入力操作に応じて視覚的なフィードバックを行うことができれば、上記端末側にて入力操作の認識がなされたかどうかをユーザに対してより判り易く且つ確実に知らせることが可能となる。
【０００８】
なお、タッチパネルへの入力操作に対して視覚的なフィードバックを行う技術の一例として、タッチパネルの下に液晶パネルを設け、上記タッチパネルへの入力操作に応じて液晶パネルの画面表示を制御するような技術も存在するが、新たな液晶パネルの搭載は端末コストの大幅な上昇を招いてしまう。また、液晶パネルは押圧等の外力に弱く、パネル面の押圧により表示が乱れてしまうことが多く、最悪の場合、液晶パネルが破損してしまうこともあり得る。液晶パネルの前面に高強度の透明保護部材を設けることも考えられるが、その場合は更なるコストの上昇が避けられない。
【０００９】
本発明は、このような実情に鑑みて提案されたものであり、タッチパネルによる入力方式を採用し、そのタッチパネルへの入力操作に対してフィードバックを行う携帯端末において、コストの上昇を抑えつつ、ユーザに対してより判り易く且つ確実なフィードバックを行える携帯端末を提供することを目的とする。
【課題を解決するための手段】
【００１０】
本発明の携帯端末は、パネルの表面に対する押圧操作により入力が行われるパネル入力部と、複数の発光素子を備え、パネル入力部のパネルの下面側に配される発光部と、パネル入力部を振動させるためのパネル駆動部と、パネル入力部からの入力信号に基づいて発光部の発光制御とパネル駆動部の振動制御を行う制御部とを有することにより、上述した課題を解決する。
【００１１】
すなわち、本発明によれば、パネル入力部への押圧操作に応じて、発光部を発光させたり、パネル駆動部にてパネル入力部を振動させることにより、ユーザに対して入力のフィードバックを行うようになされている。
【発明の効果】
【００１２】
本発明によれば、パネル入力部への押圧操作による入力に応じて、発光部の発光制御やパネル駆動部の振動制御を行うことにより、コストの上昇を抑えつつ、ユーザに対してより判り易く且つ確実なフィードバックを行うことが可能となっている。
【発明を実施するための最良の形態】
【００１３】
以下、図面を参照しながら、本発明の携帯端末の一実施形態について説明する。
【００１４】
なお、本実施形態では、本発明の携帯端末の一例として、携帯電話端末を挙げているが、勿論、ここで説明する内容はあくまで一例であり、本発明はこの例に限定されないことは言うまでもない。
【００１５】
〔携帯電話端末の外観〕
図１には、本発明実施形態の携帯電話端末１の概略的な外観図を示す。
【００１６】
本実施形態の携帯電話端末１は、いわゆる折り畳み型の端末であり、第１の筐体２と第２の筐体３とがヒンジ部５を介して回転自在に連結されている。なお、本実施形態では折り畳み型の携帯電話端末を例に挙げているが、本発明はストレート型等、スライド型等の他の各種タイプの携帯電話端末でも良い。
【００１７】
第１の筐体２は、液晶デバイス等からなるディスプレイ４と受話用スピーカ６等が配されている。なお、図示は省略するが、ディスプレイ４が設けられている筐体面に対する筐体背面側には、カメラや撮影補助光発光部、サブディスプレイ、着信音用のスピーカ等が配されている。
【００１８】
第２の筐体３は、主要な回路構成と着脱可能なバッテリを内蔵している。当該第２の筐体３は、端末を折り畳んだ際に上記第１の筐体２のディスプレイ４が設けられている筐体面と相対応する面（端末を開いた時に第１の筐体２のディスプレイ４と同じ側となる面）には、送話用マイクロホン７と操作入力部１０とが設けられている。
【００１９】
〔操作入力部の構成〕
以下、図２〜図４を用いて、第２の筐体３に設けられている操作入力部１０の構成について説明する。なお、図２は操作入力部１０のみを抜き出した概略的な外観斜視図を示し、図３は操作入力部１０の内部に配される格子状の遮光仕切部材１５及びＬＥＤ（発光ダイオード）１４の概略的な外観斜視図を、図４は操作入力部１０の概略的な分解斜視図を示している。
【００２０】
上記操作入力部１０は、タッチパネル部１１と、上記タッチパネル部１１の下部（筐体内部側）に配される発光部１２と、上記発光部１２の下部（筐体内部側）に配されるパネル駆動部１３とを有して構成されている。
【００２１】
上記発光部１２は、タッチパネル部１１の下面側に配される複数のＬＥＤ（発光ダイオード）１４と、それらＬＥＤ１４からの光を第２の筐体３の筐体外部側へ導くための導光部材１６と、各々のＬＥＤ１４からの光が隣接する別のＬＥＤ側へ漏れ出して当該第２の筐体３の筐体外部側へ出ていくのを防ぐための遮光仕切部材１５とを有して構成されている。なお、本実施形態に例において、上記複数のＬＥＤ１４は、例えば一般的な携帯電話端末のキー配列に合わせて配置されている。また、上記遮光仕切部材１５の形状は、上記各ＬＥＤ１４に各々合わせた例えば格子形状となされている。
【００２２】
上記タッチパネル部１１は、透明若しくは半透明の部材により構成され、外部からの押圧力を検知した時、その押圧力に応じた電圧値を生成し、さらに当該電圧値をＡ／Ｄ（アナログ／ディジタル）変換してディジタルデータとして出力するセンサ部と、上記センサ部により押圧力を検知した位置を求め、その押圧位置を表す二次元座標データ（つまり入力位置データ）を生成する位置判定処理部とを備えている。なお、タッチパネル部１１の外表面上には、上記各ＬＥＤ１４の配置に合わせた位置に、例えば一般的な携帯電話端末に配列されている各キーのキートップに描かれているものと同じ数字や文字、記号等が描かれていても良い。
【００２３】
上記パネル駆動部１３は、例えばタッチパネル部１１の下面側に配され、当該操作入力部１０をその下側から振動させるため振動デバイスにより構成されている。振動デバイスは、一例として、モータ回転軸に対して偏芯した位置に錘を備えたバイブレータにより構成され、当該モータの回転により振動を発生する。その他、振動デバイスは、上記複数のＬＥＤ１４に各々対応した複数の位置に例えば圧電セラミック等の複数の圧電素子を配置し、それら各圧電素子を個々に振動可能としたデバイスであっても良い。なお、図２，図４では、パネル駆動部１３が発光部１２と略々同じ面積を有するデバイスとなされている例を挙げたが、本実施形態のパネル駆動部１３は、当該操作入力部１０を振動させることができるのであれば、より小型のものであっても良い。
【００２４】
上述したような構成の操作入力部１０を備えた本実施形態の携帯電話端末１において、上記操作入力部１０上の所望の位置がユーザの指等によりタッチ操作された場合、上記タッチパネル部１１のセンサ部は当該タッチ操作時の押圧力を検出し、上記タッチパネル部１１の位置判定部は上記タッチ操作時の押圧位置を判定する。そして、それらタッチ操作時の押圧力を表すディジタルデータと押圧位置を表す二次元座標データは、当該携帯電話端末１の内部ＣＰＵへ送られる。この時の内部ＣＰＵは、上記押圧力と押圧位置のデータを元に、上記発光部１２の複数のＬＥＤ１４の発光制御を行う。すなわち、内部ＣＰＵは、例えば、上記タッチ操作の押圧位置に対応した場所に配置されているＬＥＤを上記押圧力に応じた明るさで点灯させたり、押圧時間に応じた明るさで点灯させたり、上記押圧力や押圧時間に応じた発光パターンで点滅させるような発光制御を行う。ここで、押圧力に応じた明るさの発光制御としては、例えば、押圧力が大きい時に強く発光させ、小さい時に弱く発光させるような制御を挙げることができる。また、押圧時間に応じた明るさの発光制御としては、例えば、押圧時間が長い時に強く発光させ、短い時に弱く発光させるような制御を挙げることができる。また、押圧力に応じた発光パターンの発光制御としては、例えば、押圧力が大きい時に速く点滅させ、小さい時に遅く点滅させるような制御を挙げることができる。また、押圧時間に応じた発光パターンの発光制御としては、例えば、押圧時間が長い時に速く点滅させ、短い時に遅く点滅させるような制御を挙げることができる。これら発光制御により、押圧力や押圧時間をユーザに認識させることが可能となる。なお、発光パターンの制御例としては、上記点滅の速度の変更制御だけでなく、点滅リズムの変更制御であっても良い。
【００２５】
また、本実施形態の携帯電話端末１において、上記操作入力部１０上をユーザが指等によりタッチした状態で移動させた場合、つまりユーザによりスクロール操作が行われた場合、上記タッチパネル部１１のセンサ部は当該スクロール操作による押圧力を検出すると共に、上記タッチパネル部１１の位置判定部は上記スクロール操作の方向と距離を算出する。そして、それらスクロール操作の押圧力を表すディジタルデータとスクロール操作の方向と距離を表す二次元座標データが内部ＣＰＵへ送られる。この時の内部ＣＰＵは、それらデータを元に、上記発光部１２の複数のＬＥＤ１４の発光制御を行う。すなわち、内部ＣＰＵは、例えば、上記スクロール操作によりユーザの指等が移動した軌跡に配されている各ＬＥＤを上記押圧力に応じた明るさや発光パターンで順次点灯させたり、上記スクロール操作による単位時間当たりの移動距離からスクロール操作の速度を求め、上記スクロール操作によりユーザの指等が移動した軌跡に配されている各ＬＥＤを上記速度に応じた明るさや発光パターンで点滅させるような発光制御を行う。ここで、当該スクロール操作時の押圧力に応じた明るさの発光制御としては、例えば、押圧力が大きい時には各ＬＥＤを順次強く発光させたり速く点滅させ、小さい時に弱く発光させたり遅く点滅させるような制御を挙げることができる。また、スクロール操作の速度に応じた明るさの発光制御としては、例えば、速度が速い時には各ＬＥＤを順次強く発光させたり速く点滅させ、遅い時に弱く発光させたり遅く点滅させるような制御を挙げることができる。なお、この例の場合も、発光パターンの制御例としては、上記点滅の速度の変更制御だけでなく、点滅リズムの変更制御であっても良い。
【００２６】
また、本実施形態の携帯電話端末１の内部ＣＰＵは、上記操作入力部１０上の所望の位置がユーザの指等によりタッチ操作された場合に、上記タッチパネル部１１からの押圧力と押圧位置や押圧時間のデータを元に、上記パネル駆動部１３の振動制御を行うことも可能である。すなわち、内部ＣＰＵは、例えば上記タッチ操作がなされた場合、押圧力や押圧時間に応じた強さで上記パネル駆動部１３を振動させたり、上記押圧位置や押圧時間に応じた振動パターンで上記パネル駆動部１３を振動させる制御を行う。なお、パネル駆動部１３が上記複数の圧電素子で構成されている場合、内部ＣＰＵは、上記押圧位置に対応した場所に配置されている圧電素子を上記押圧力や押圧時間に応じた強さで振動させたり、押圧位置に対応した場所に配置されている圧電素子を上記押圧力や押圧時間に応じた振動パターンで振動させるような振動制御を行う。
【００２７】
また、本実施形態の携帯電話端末１の内部ＣＰＵは、上記操作入力部１０上をユーザがスクロール操作した場合、上記スクロール操作の押圧力と方向及び距離を表す各データを元に、上記パネル駆動部１３の振動制御を行うことも可能である。すなわち、内部ＣＰＵは、例えば上記スクロール操作がなされた場合、上記パネル駆動部１３を振動させたり、上記スクロール操作時の押圧力や速度に応じた振動パターンで上記パネル駆動部１３を振動させる制御を行う。なお、パネル駆動部１３が上記複数の圧電素子で構成されている場合、内部ＣＰＵは、上記スクロール操作軌跡に配されている各圧電素子を押圧力に応じた強さで順次振動させたり、上記スクロール操作時の速度に応じた振動パターンで各圧電素子を振動させるような振動制御を行う。
【００２８】
なお、本実施形態において、上記各ＬＥＤ１４の発光制御とパネル駆動部１３の振動制御は、両方が同時に行われても良いし、何れか一方のみが行われても良い。また、本実施形態の携帯電話端末１では、それら何れを行うかを、ユーザが任意に選択可能となされている。
【００２９】
〔携帯電話端末の内部構成〕
図５には、上述した本実施形態の携帯電話端末１の携帯電話端末の概略的な内部回路構成を示す。
【００３０】
図５において、データラインは、音声データや電子メールデータ、画像データなの各種データを伝送するための伝送ラインである。
【００３１】
制御ラインは、ＣＰＵ（中央処理ユニット）により構成されている制御部３０からの制御データなどの各種制御情報を伝送するための伝送ラインである。
【００３２】
アンテナ３２は、例えば内蔵アンテナであり、通信回路３１に接続され、信号電波を送受信するのに用いられる。
【００３３】
通信回路３１は、送受信信号の周波数変換、変調と復調等を行う。
【００３４】
上記アンテナ３２及び通信回路３１にて受信された通話音声データは音声処理部４２へ送られ、それ以外の受信データは、制御部３０へ送られて適切に処理された後、必要に応じて当該制御部３０から各部へ送られる。なお、通話音声以外の受信データは、パケット通信にかかるデータであり、例えば電子メールデータ、動画像や静止画の画像データ、音楽等のデータ、ＨＴＭＬ（Hyper Text Markup Language）データ、プログラムコードのデータ等を挙げることができる。
【００３５】
上記アンテナ３２及び通信回路３１から通話音声データが供給された時の音声処理部４２は、当該通話音声データを復号化し、その復号化後の通話音声データをアナログ音声信号に変換し、そのアナログ音声信号をスピーカ４０若しくは図示しないイヤホンジャックへ送る。
【００３６】
スピーカ４０は、図１の受話用スピーカ６に相当し、供給されたアナログ音声信号を内部増幅器により増幅した後、その音声信号を可聴音声に変換して外部に出力する。これにより、スピーカ４０からは通話音声が出力されることになる。
【００３７】
マイクロホン４１は、図１の送話用マイクロホン７に相当し、入力音声をアナログ音声信号に変換すると共に内部増幅器により増幅し、さらにそのアナログ音声信号を音声処理部４２に送る。
【００３８】
上記マイクロホン４１から通話音声信号が供給された時の音声処理部４２は、その通話音声信号をディジタル音声データに変換した後に符号化し、さらにその符号化後の通話音声データを通信回路３１へ送る。これにより、アンテナ３２からは通話音声信号が送信されることになる。
【００３９】
表示部３３は、図１のディスプレイ４に相当し、液晶ディスプレイ等の表示デバイス及び表示駆動回路を備え、そのディスプレイの画面上に画像や文字等を表示する。
【００４０】
画像処理部４３は、制御部３０による制御の元で内蔵メモリから読み出された圧縮符号化されている画像データを伸張復号化等し、その伸張復号後の画像データをデータラインを介して表示部３３へ送る。また、画像処理部４３は、図示しないカメラ部により撮影された静止画像や動画像のデータの圧縮符号化等を行い、その圧縮符号化された画像データを、制御部３０による制御の元で内蔵メモリに送って記憶させる。
【００４１】
タッチパネル部３４は、前述の操作入力部１０のタッチパネル部１１に相当し、外部からの押圧力を電圧値に変換する電圧値検出部３４ａ、及び、当該電圧値検出部３４ａにより検出された電圧値をＡ／Ｄ変換するＡ／Ｄ変換部３４ｂからなる前述したセンサ部と、そのＡ／Ｄ変換部３４ｂからのデータを元に、押圧位置を表す二次元座標データを生成する前述の位置判定処理部である入力位置検出部３４ｃとからなる。そして、上記入力位置検出部３４ｃは、上記押圧力と押圧位置のデータを、内部ＣＰＵである制御部３０に送る。
【００４２】
パネル駆動部３５は、前述したパネル駆動部１３に相当し、上記操作入力部１０をその下側から振動させるため振動デバイスにより構成される。当該パネル駆動部３５は、内部ＣＰＵである制御部３０による制御の元で振動する。
【００４３】
ＬＥＤ駆動部４４及びＬＥＤ４５は、前述した発光部１２に相当し、また、ＬＥＤ４５は前述の複数のＬＥＤ１４に相当する。ＬＥＤ駆動部４４は、制御部３０による制御の元でＬＥＤ４５を発光させる。
【００４４】
メモリ部３６は、ＲＯＭ（Read Only Memory）とＲＡＭ（Random Access Memory）を含む。ＲＯＭは、ＯＳ（Operating System）、制御部３０が各部を制御するための制御プログラムや、各種の初期設定値、フォントデータ、辞書データ、着信音やキー操作音，アラーム音用の各種音データ、上記タッチパネル部３４からのデータを元に前述した発光制御や振動制御を行うための制御アプリケーションプログラム、電子メールの作成や編集等を行うためのアプリケーションプログラム、画像や音声に対して様々な処理を行うためのアプリケーションプログラム、その他、携帯電話端末に搭載される各種のアプリケーション用のプログラム、当該携帯電話端末の識別情報（ＩＤ）などを記憶している。また、このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話番号や電子メールアドレス等を格納する電話帳（アドレス帳）のデータ、スケジュール帳のデータ、静止画像や動画像データ、キー操作音，アラーム音用等の音データ、文字データや予測変換の候補単語の登録データや予測変換の学習データ、その他、各種のユーザ設定値等を保存することも可能となされている。ＲＡＭは、制御部３０が各種のデータ処理を行う際の作業領域として、随時データを格納する。
【００４５】
制御部３０は、前述した内部ＣＰＵであり、メモリ部３６に記憶されているＯＳや各種プログラムに基づいて、携帯電話端末の制御、前述した本実施形態にかかる押圧力や押圧位置等のデータに基づく発光制御や振動制御の実行や各種演算を行う。
【００４６】
その他、図示及び説明は省略するが、本実施形態の携帯電話端末は、日時を計測する時計部、カメラ部、ＧＰＳ部、非接触通信等の近距離無線通信部、バッテリ及びパワーマネージメントＩＣ等のような、従来の携帯電話端末が備えている各種の構成についても備えている。
【００４７】
〔発光、駆動制御を行う制御部の処理フロー〕
図６には、ＣＰＵ３０が上述したタッチパネル部出力に基づいて行う発光制御や駆動制御のフローチャートを示す。
【００４８】
図６において、ＣＰＵ３０は、ステップＳ１にてタッチパネル部３４から押圧力や押圧位置等のデータを取得すると、ステップＳ２へ処理を進め、それらデータから、ユーザによりタッチ操作がなされたか或いはスクロール操作がなされたかを判定する。すなわち、ＣＰＵ３０は、例えば押圧位置が略々同じ位置である場合にはタッチ操作であると判定し、押圧状態でその位置が変化した場合にはスクロール操作であると判定する。
【００４９】
次にＣＰＵ３０は、上記ステップＳ２にてタッチ操作であると判定した場合において、ＬＥＤの発光制御を行う時には、ステップＳ３の処理として、当該タッチ操作に応じた発光制御を行うためのＬＥＤ発光制御信号を生成し、その制御信号をＬＥＤ駆動部４４へ送る。これにより、ＬＥＤ４５は前述のように発光駆動される。また、パネル駆動を行う場合、ＣＰＵ３０は、当該タッチ操作に応じた振動制御を行うためのパネル駆動制御信号を生成し、その制御信号をパネル駆動部３５へ送る。これにより、パネル駆動部３５は、前述のように振動駆動される。
【００５０】
一方、ＣＰＵ３０は、ステップＳ２にてスクロール操作であると判定した場合において、ＬＥＤの発光制御を行う時には、ステップＳ４の処理として、当該スクロール操作に応じた発光制御を行うためのＬＥＤ発光制御信号を生成し、その制御信号をＬＥＤ駆動部４４へ送る。これにより、ＬＥＤ４５は前述のように発光駆動される。また、パネル駆動を行う場合、ＣＰＵ３０は、当該スクロール操作に応じた振動制御を行うためのパネル駆動制御信号を生成し、その制御信号をパネル駆動部３５へ送る。これにより、パネル駆動部３５は、前述のように振動駆動される。
【００５１】
〔まとめ〕
以上説明したように、本実施形態の携帯電話端末１によれば、タッチパネル部１１（３４）を備えていることにより、ユーザは従来のキー入力では対応できない複雑な操作を行うことができる。
【００５２】
また、本実施形態の携帯電話端末１によれば、発光部１２のＬＥＤ発光制御により、タッチパネル部１１へのタッチ操作やスクロール操作等のユーザ操作入力を当該ユーザへ視覚的にフィードバック可能となされ、また、パネル駆動部１３（３５）の振動制御により、操作入力部１０へのユーザ操作入力を当該ユーザへ触覚的にフィードバック可能となされている。すなわち本実施形態の携帯電話端末１によれば、入力操作が端末側で認識されたかどうかをユーザに視覚的，触覚的に判り易く知らせることができる。また、本実施形態の携帯電話端末１によれば、入力操作の位置（押圧位置）や入力操作の強さ（押圧力）、入力操作の時間（押圧時間）、入力操作の軌跡（スクロール操作軌跡）等の入力パターンに応じたそれぞれ異なるフィードバック（すなわち例えば異なるクリック感）が得られるため、ユーザは、自分が行った入力操作を確認することができる。
【００５３】
また、本実施形態の携帯電話端末１においては、上記発光部１２に遮光仕切部材１５が設けられているため、何れかのＬＥＤが発光した場合に、その光が隣接する別のＬＥＤ側へ漏れ出すのを防止でき、したがって、ユーザの操作入力位置のみを発光させることが可能となる。
【００５４】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００５５】
例えば、本発明の携帯端末は、携帯電話端末に限定されず、ＰＤＡ等の各種の携帯端末にも適用可能である。
【００５６】
また、本実施形態では、タッチパネル部１１上の押圧位置に応じてＬＥＤを発光させたり振動させたりするアプリケーションを実装した例を挙げたが、例えば各ＬＥＤをランダムに順次発光させ、ユーザに対して、当該発光しているＬＥＤの場所に対応した位置をタッチさせるような電子ゲーム用のアプリケーションを実装しても良い。
【図面の簡単な説明】
【００５７】
【図１】本発明実施形態の携帯電話端末の概略的な外観斜視図である。
【図２】操作入力部のみを抜き出した概略的な外観斜視図である。
【図３】操作入力部の内部に配される格子状の遮光仕切部材及びＬＥＤの概略的な外観斜視図である。
【図４】操作入力部の概略的な分解斜視図を示している。
【図５】本発明実施形態の携帯電話端末の主要部の概略的な内部構成を示すブロック図である。
【図６】ＣＰＵがタッチパネル部出力に基づいて行う発光制御や駆動制御のフローチャートである。
【符号の説明】
【００５８】
１  携帯電話端末、２  第１の筐体、３  第２の筐体、４  ディスプレイ、５  ヒンジ部、６，４０  受話用のスピーカ、７，４１  送話用のマイクロホン、１０  操作入力部、１１，３４  タッチパネル部、１２  発光部、１３，３５  パネル駆動部、１４，４５  ＬＥＤ、１５  遮光仕切部材、１６  導光部材、３０  制御部、３１  通信回路、３２  通信用のアンテナ、３３  表示部、３４ａ  電圧値検出部、３４ｂ  Ａ／Ｄ変換部、３４ｃ  入力位置検出部、３６  メモリ部、４２  音声処理部、４３  画像処理部、４４  ＬＥＤ駆動部
【図１】
2007133698.tif 000003
【図２】
2007133698.tif 000004
【図３】
2007133698.tif 000005
【図４】
2007133698.tif 000006
【図５】
2007133698.tif 000007
【図６】
2007133698.tif 000008